(57)【要約】【課題】撮影光学系とファインダ光学系にパララックスがある場合でも、撮影光学系による正確な撮影範囲をファインダによって確認することのできる撮像装置を提供する。【解決手段】カメラ１００は、主撮像素子２と、光学系２３によって結像される光学像を接眼窓２８から観察可能な光学ファインダ２０と、光学系２３によって結像される光学像を撮像する副撮像素子２７と、光学ファインダ２０内に配置される表示部２６と、主撮像素子２によって撮像された画像と、副撮像素子２７によって撮像された画像との比較により、接眼窓２８から観察される光学像における、主撮像素子２によって撮像されている撮像範囲を示す枠画像３１を生成するＥＶＦ画像生成部１８と、この枠画像３１を表示部２６に表示させる表示制御部１３と、を備える。【選択図】図２
2014041305.tif 000002
【特許請求の範囲】
【請求項１】
撮影光学系と、
前記撮影光学系を介して被写体を撮像する第一の撮像素子と、
前記撮影光学系とは異なる光学系を介して被写体を観察可能で、かつ、画像を表示する表示部を含むファインダ装置と、
前記異なる光学系を介して被写体を撮像する第二の撮像素子と、
前記第一の撮像素子によって撮像された第一の撮像画像と、前記第二の撮像素子によって撮像された第二の撮像画像とを用いて、前記ファインダ装置によって観察される被写体における、前記第一の撮像素子によって撮像されている撮像範囲を示す撮像範囲画像を生成する撮像範囲画像生成部と、
前記撮像範囲画像を前記表示部に表示させる表示制御部と、を備え、
前記ファインダ装置は、被写体側ファインダ窓から入射し前記異なる光学系を介して接眼窓に入射する光像と前記表示部に表示される画像とが重畳された像を前記接眼窓から観察可能に構成される撮像装置。
【請求項２】
請求項１記載の撮像装置であって、
前記異なる光学系は焦点距離可変であり、
前記第一の撮像画像と前記第二の撮像画像の比較結果に基づいて前記異なる光学系の焦点距離を可変して、前記第二の撮像素子による撮像範囲を制御する撮像範囲制御部を備える撮像装置。
【請求項３】
請求項２記載の撮像装置であって、
前記第一の撮像画像と前記第二の撮像画像との比較により、前記第一の撮像素子による撮像範囲と前記第二の撮像素子による撮像範囲の相対サイズを判定する撮像範囲サイズ判定部を備え、
前記撮像範囲制御部は、前記撮像範囲サイズ判定部により、前記第一の撮像素子による撮像範囲のサイズを前記第二の撮像素子による撮像範囲のサイズで除した値が予め決めた値以上と判定された場合に、前記異なる光学系の焦点距離を短くする撮像装置。
【請求項４】
請求項３記載の撮像装置であって、
前記異なる光学系の焦点距離が最小にされた状態で、前記撮像範囲サイズ判定部により、前記第一の撮像素子による撮像範囲のサイズを前記第二の撮像素子による撮像範囲のサイズで除した値が予め決めた値以上と判定された場合に、前記第一の撮像画像と前記第二の撮像画像を用いて、前記第一の撮像素子によって撮像されている撮像範囲のうち、前記第二の撮像素子によって撮像されている撮像範囲よりも狭い縮小範囲を示す縮小範囲画像を生成する縮小範囲画像生成部を備え、
前記表示制御部は、前記縮小範囲画像を前記表示部に表示させる撮像装置。
【請求項５】
請求項２記載の撮像装置であって、
前記第一の撮像画像と前記第二の撮像画像との比較により、前記第二の撮像画像において前記第一の撮像画像と対応する領域に、前記撮影光学系によってケラレているケラレ領域があるか否かを判定するケラレ領域判定部を備え、
予め決められた値より大きい前記ケラレ領域があると判定された場合に、前記撮像範囲制御部は、前記異なる光学系の焦点距離を長くする撮像装置。
【請求項６】
請求項５記載の撮像装置であって、
前記接眼窓に被写体からの光が入射するのを防止し、前記表示部に表示される画像のみを前記接眼窓から観察可能にするために設けられた光を遮断するシャッタと、
前記異なる光学系の焦点距離が最大にされた状態で、前記ケラレ領域判定部により、予め決められた値より大きい前記ケラレ領域があると判定された場合に、前記シャッタを制御して被写体からの光が前記接眼窓に入射するのを防止するシャッタ制御部と、を備え、
前記表示制御部は、前記表示部に表示される画像のみを前記接眼窓から観察可能になった状態では、前記第一の撮像画像を前記表示部に表示させる撮像装置。
【請求項７】
請求項１〜６のいずれか１項記載の撮像装置であって、
少なくとも前記第一の撮像画像及び前記第二の撮像画像を用いて、前記第一の撮像素子から主要被写体までの距離を算出する主要被写体距離算出部を備え、
前記表示制御部は、前記主要被写体距離算出部により算出された距離を示す画像を前記表示部に表示させる撮像装置。
【請求項８】
請求項７記載の撮像装置であって、
前記主要被写体距離算出部は、前記第一の撮像画像と前記第二の撮像画像との比較により、前記主要被写体から見た前記第一の撮像素子と前記第二の撮像素子のなす角度を算出し、当該角度と、撮像装置内における前記第一の撮像素子と前記第二の撮像素子の位置関係を示す情報とを用いて、前記第一の撮像素子から前記主要被写体までの距離を算出する撮像装置。
【請求項９】
請求項７記載の撮像装置であって、
前記第二の撮像素子は、位相差検出用の画素セルを含み、
前記主要被写体距離算出部は、前記主要被写体に対応する前記位相差検出用の画素セルの出力信号を用いて前記第二の撮像素子から前記主要被写体までの距離を算出し、前記第一の撮像画像と前記第二の撮像画像との比較により、前記主要被写体から見た前記第一の撮像素子と前記第二の撮像素子のなす角度を算出し、当該距離と当該角度を用いて、前記第一の撮像素子から前記主要被写体までの距離を算出する撮像装置。
【請求項１０】
請求項１〜９のいずれか１項記載の撮像装置であって、
前記撮影光学系を着脱可能なマウント機構を備える撮像装置。
【請求項１１】
撮影光学系を介して被写体を撮像する第一の撮像素子を有する撮像装置に用いられるファインダ装置であって、
前記撮影光学系とは異なる光学系と、
画像を表示する表示部と、
前記異なる光学系を介して被写体を撮像する第二の撮像素子と、
前記第一の撮像素子によって撮像された第一の撮像画像と、前記第二の撮像素子によって撮像された第二の撮像画像とを用いて、前記異なる光学系を介して観察される被写体における、前記第一の撮像素子によって撮像されている撮像範囲を示す撮像範囲画像を生成する撮像範囲画像生成部と、
前記撮像範囲画像を前記表示部に表示させる表示制御部と、を備え、
被写体側ファインダ窓から入射し前記異なる光学系を介して接眼窓に入射する光像と前記表示部に表示される画像とが重畳された像を前記接眼窓から観察可能に構成されるファインダ装置。
【請求項１２】
撮影光学系を介して被写体を撮像する第一の撮像素子によって撮像された第一の撮像画像と、前記撮影光学系とは異なる光学系を介して被写体を観察可能なファインダ装置の前記異なる光学系を介して被写体を撮像する第二の撮像素子によって撮像された第二の撮像画像とを用いて、前記異なる光学系を介して観察される被写体における、前記第一の撮像素子によって撮像されている撮像範囲を示す撮像範囲画像を生成し、画像を表示する表示部であって、前記異なる光学系を介して接眼窓に入射する光像と前記画像とが重畳された像を前記接眼窓から観察可能に前記ファインダ装置内に配置される表示部に、前記撮像範囲画像を表示させる撮像装置の制御方法。
【発明の詳細な説明】
【技術分野】
【０００１】
本発明は、ファインダ装置を備える撮像装置とその制御方法及びファインダ装置に関する。
【背景技術】
【０００２】
固体撮像素子から出力される撮影画像信号をデジタル処理して得た撮影画像データを記録媒体に保存するデジタルカメラにも、従来は、光学ファインダが設けられ、撮影者はファインダを覗き、被写体の構図などを目視し、シャッタボタンを押す様になっていた。
【０００３】
しかし、近年のデジタルカメラは、光学ファインダを設けずに、カメラ背面に設けた大型液晶表示装置に固体撮像素子で撮影中の撮影画像を表示し、ファインダ代わりとするのが一般的になっている。
【０００４】
カメラ背面の大型液晶表示装置にライブビュー画像を表示する形式のデジタルカメラでは、撮影画像を確認するためにカメラを顔から離して見なければならず、シャッタボタンを押したとき手振れが発生しやすい。また、固体撮像素子から出力され画像処理されたライブビュー画像を表示しているため、実際の被写体の状態に対して若干のタイムラグが存在する画像となることは避けられない。
【０００５】
このような事情から、カメラファンの中には、光学ファインダの復活を望む声も多い。そこで、例えば特許文献１に記載されている様に、表示部を内蔵し、撮影光学系とは別のファインダ光学系を通して得られる光学像に当該表示部に表示される画像を重畳させた像を接眼窓から観察可能にしたファインダ装置をデジタルカメラに搭載することが提案されている。
【０００６】
特許文献１に記載のように、撮影光学系とファインダ光学系を別に有するデジタルカメラでは、撮影光学系による被写体の撮影範囲とファインダ光学系による被写体の観察範囲とが一致しない。このため、ファインダ光学系を介して観察できる観察像のうち、どの範囲が撮影光学系によって撮影されるのかを確認できるようにする必要がある。
【０００７】
そこで、特許文献１では、カメラ本体に装着されたレンズから取得したレンズ情報を用いて、レンズに含まれる撮影光学系による被写体の撮影範囲を、ファインダ装置内の表示部に表示させることを行っている。
【０００８】
また、特許文献２には、撮影光学系とファインダ光学系を別に有し、撮影光学系を介して撮像した画像とファインダ光学系を介して撮像した画像とを用いて、２つの光学系にパララックスが生じないように、２つの光学系の光軸方向を制御するデジタルカメラが記載されている。
【先行技術文献】
【特許文献】
【０００９】
【特許文献１】特開２００９−２８２３７８号公報
【特許文献２】特開２００７−１１６２７１号公報
【発明の概要】
【発明が解決しようとする課題】
【００１０】
特許文献１に記載のデジタルカメラは、レンズから取得したレンズ情報を用いて、ファインダ内の表示部に、実際の撮影範囲を表示させるものである。しかし、レンズ情報は設計上のデータであり、製造誤差や、レンズをカメラ本体に取り付けたときの取り付け誤差等は含まれていない。そのため、レンズ情報を用いて算出した撮影範囲は、実際の撮影範囲とはずれが生じる可能性がある。
【００１１】
また、特許文献２のように、パララックスをなくすようにすることは、光学系の光軸向きを変えるための機構が必要となるため、カメラが高価なものとなってしまう。
【００１２】
本発明は、上記事情に鑑みてなされたものであり、撮影光学系とファインダ光学系にパララックスがある場合でも、撮影光学系による正確な撮影範囲をファインダによって確認することのできる撮像装置を提供することを目的とする。
【課題を解決するための手段】
【００１３】
本発明の撮像装置は、撮影光学系と、前記撮影光学系を介して被写体を撮像する第一の撮像素子と、上記撮影光学系とは異なる光学系を介して被写体を観察可能で、かつ、画像を表示する表示部を含むファインダ装置と、上記異なる光学系を介して被写体を撮像する第二の撮像素子と、上記第一の撮像素子によって撮像された第一の撮像画像と、上記第二の撮像素子によって撮像された第二の撮像画像とを用いて、上記ファインダ装置によって観察される被写体における、上記第一の撮像素子によって撮像されている撮像範囲を示す撮像範囲画像を生成する撮像範囲画像生成部と、上記撮像範囲画像を上記表示部に表示させる表示制御部と、を備え、上記ファインダ装置は、被写体側ファインダ窓から入射し上記異なる光学系を介して接眼窓に入射する光像と上記表示部に表示される画像とが重畳された像を上記接眼窓から観察可能に構成されるものである。
【００１４】
本発明のファインダ装置は、上記撮影光学系とは異なる光学系と、画像を表示する表示部と、上記異なる光学系を介して被写体を撮像する第二の撮像素子と、上記第一の撮像素子によって撮像された第一の撮像画像と、上記第二の撮像素子によって撮像された第二の撮像画像とを用いて、上記異なる光学系を介して観察される被写体における、上記第一の撮像素子によって撮像されている撮像範囲を示す撮像範囲画像を生成する撮像範囲画像生成部と、上記撮像範囲画像を上記表示部に表示させる表示制御部と、を備え、被写体側ファインダ窓から入射し上記異なる光学系を介して接眼窓に入射する光像と上記表示部に表示される画像とが重畳された像を上記接眼窓から観察可能に構成されるものである。
【００１５】
本発明の撮像装置の制御方法は、撮影光学系を介して被写体を撮像する第一の撮像素子によって撮像された第一の撮像画像と、上記撮影光学系とは異なる光学系を介して被写体を観察可能なファインダ装置の上記異なる光学系を介して被写体を撮像する第二の撮像素子によって撮像された第二の撮像画像とを用いて、上記異なる光学系を介して観察される被写体における、上記第一の撮像素子によって撮像されている撮像範囲を示す撮像範囲画像を生成し、画像を表示する表示部であって、上記異なる光学系を介して接眼窓に入射する光像と上記画像とが重畳された像を上記接眼窓から観察可能に上記ファインダ装置内に配置される表示部に、上記撮像範囲画像を表示させるものである。
【発明の効果】
【００１６】
本発明によれば、撮影光学系とファインダ光学系にパララックスがある場合でも、撮影光学系による正確な撮影範囲をファインダによって確認することのできる撮像装置を提供することができる。
【図面の簡単な説明】
【００１７】
【図１】本発明の第一実施形態を説明するための撮像装置としてのデジタルカメラの概略構成を示す図
【図２】図１に示すデジタルカメラ１００におけるＥＶＦ画像生成部１８による画像生成処理を説明するための図
【図３】図１に示すデジタルカメラ１００の動作を説明するためのフローチャート
【図４】図１に示すデジタルカメラ１００の変形例であるデジタルカメラ１００ａの内部構成を示す図
【図５】デジタルカメラ１００ａのＥＶＦ画像生成部１８によって生成したＥＶＦ画像がＯＶＦ光学像に重畳された状態でのファインダ観察像を示す図
【図６】デジタルカメラ１００ａの動作を説明するためのフローチャート
【図７】デジタルカメラ１００ａの被写体距離算出部４０による主要被写体までの距離算出方法を説明するための図
【図８】デジタルカメラ１００ｂの動作を説明するためのフローチャート
【図９】デジタルカメラ１００ｂの被写体距離算出部４０による距離算出方法を説明するための図
【図１０】図１に示すデジタルカメラ１００の第三の変形例であるデジタルカメラ１００ｃの内部ブロック構成を示す図
【図１１】デジタルカメラ１００ｃの動作を説明するためのフローチャート
【図１２】図１１におけるステップＳ４２の処理を行ったときの副撮像画像Ｇｆの変化を示す図
【図１３】図１１におけるステップＳ４６の処理を行ったときの副撮像画像Ｇｆの変化を示す図
【図１４】デジタルカメラ１００ｃの動作の変形例を説明するためのフローチャート
【図１５】図１４におけるステップＳ５３，Ｓ５４の処理を説明するための図
【図１６】デジタルカメラ１００ｃの動作の変形例を説明するためのフローチャート
【図１７】図１６におけるステップＳ６３の処理を説明するための図
【発明を実施するための形態】
【００１８】
以下、本発明の実施形態について図面を参照して説明する。
【００１９】
図１は、本発明の第一実施形態を説明するための撮像装置としてのデジタルカメラの概略構成を示す図である。
【００２０】
デジタルカメラ１００は、撮影光学系であるレンズ部１と、撮影光学系１を介して被写体を撮像するＣＣＤ型の撮像素子２（以下、主撮像素子２という）と、主撮像素子２の出力信号（撮影画像信号）をアナログ信号処理するＣＤＳＡＭＰ３と、ＣＤＳＡＭＰ３の出力信号をデジタル信号に変換するアナログデジタル（Ａ／Ｄ）変換器４と、ファインダ装置２０とを備える。
【００２１】
レンズ部１は、ズームレンズ１ａ、絞り１ｂ、及びフォーカスレンズ１ｃを含んで構成されている。デジタルカメラ１００は、レンズ部１がカメラ本体に固定されたものでもよいし、レンズ部１をカメラ本体に着脱可能なマウント機構を有するものであってもよい。
【００２２】
なお、主撮像素子２は、図１の例ではＣＣＤ型であるが、ＣＭＯＳ型等の他の形式の固体撮像素子でも良い。
【００２３】
ファインダ装置２０は、被写体側ファインダ窓２１と、被写体を観察するための観察窓としての接眼窓２８と、ＯＶＦシャッタ２２と、ファインダ光学系２３と、ハーフミラー２５を内部に持つプリズム２４と、表示部（ＥＶＦ）２６と、ＣＣＤ型の撮像素子２７（以下、副撮像素子２７という）と、を備える。
【００２４】
被写体側ファインダ窓２１と接眼窓２８との間には、ＯＶＦシャッタ２２と、ファインダ光学系２３と、プリズム２４とが、ファインダ装置２０の入射光軸Ｌに沿ってこの順に配置されている。
【００２５】
ＯＶＦシャッタ２２は、光軸Ｌに沿う光路上に挿脱自在に設けられている。ＯＶＦシャッタ２２は、ファインダ装置２０の光路上に挿入された閉状態と、ファインダ装置２０の光路上から退避させられた開状態と、をとることができる。
【００２６】
閉状態では、ＯＶＦシャッタ２２は、被写体側ファインダ窓２１を覆う位置に挿入される。このため、この閉状態では、被写体側ファインダ窓２１に入射した光はＯＶＦシャッタ２２によって遮断され、当該光の接眼窓２８への入射が禁止される。
【００２７】
また、開状態では、ＯＶＦシャッタ２２は、被写体側ファインダ窓２１を覆わない位置に退避させられる。このため、この開状態では、被写体側ファインダ窓２１に入射した光はＯＶＦシャッタ２２によって遮断されずに通過し、ファインダ光学系２３によって結像された被写体光学像（ＯＶＦ光学像）が接眼窓２８に入射する。
【００２８】
なお、ＯＶＦシャッタ２２は、光を吸収又は反射する板状の部材を機械的に出し入れするものであってもよいし、電気的に透過率を制御できる素子（例えば液晶シャッタ）であってもよい。また、ＯＶＦシャッタ２２は、ファインダ光学系２３とプリズム２４との間において光路上に挿脱自在に設けてもよい。
【００２９】
ハーフミラー２５は、光軸Ｌに対して斜め４５度に設置されている。
【００３０】
表示部２６は、例えば液晶表示装置によって構成されており、ハーフミラー２５に隣接しかつ光軸Ｌに対し平行に配置されている。表示部２６は、表示画面上において画像を表示させたい部分だけバックライトの光を透過させ、それ以外の部分のバックライト光は透過させないようにする（黒表示にする）ことで、画像の表示を行う。
【００３１】
これにより、ＯＶＦシャッタ２２が開状態でかつ表示部２６に画像が表示されている状態では、ハーフミラー２５を透過した被写体からの入射光（ＯＶＦ光学像）と、表示部２６から発せられハーフミラー２５で反射した光（表示部２６に表示されるＥＶＦ画像）とが重畳された像を、接眼窓２８から確認することができる。
【００３２】
副撮像素子２７は、ファインダ光学系２３によって結像されるＯＶＦ光学像を撮像するために設けられており、ハーフミラー２５に隣接しかつ光軸Ｌに対し平行に配置されている。副撮像素子２７は、図１の例ではＣＣＤ型であるが、ＣＭＯＳ型等の他の形式の固体撮像素子でも良い。
【００３３】
デジタルカメラ１００には、副撮像素子２７の出力信号（撮影画像信号）をアナログ信号処理するＣＤＳＡＭＰ２９と、ＣＤＳＡＭＰ２９の出力信号をデジタル信号に変換するアナログデジタル（Ａ／Ｄ）変換器３０と、が設けられる。
【００３４】
また、デジタルカメラ１００には、主撮像素子２を駆動する駆動部５と、副撮像素子２７を駆動する駆動部６と、レンズ部１に含まれるレンズの位置を制御したり、絞りの開口量を制御したりするレンズドライバ７と、ＯＶＦシャッタ２２の位置制御を行う駆動モータ（不図示）に駆動信号を供給するモータドライバ８とが設けられる。駆動部５，６、レンズドライバ７、及びモータドライバ８は、制御部９からの指令に基づいて動作する。また、ＣＤＳＡＭＰ３，２９も制御部９からの指令に基づいて動作する。
【００３５】
デジタルカメラ１００には、更に、デジタルカメラ１００全体を統括制御する制御部９と、Ａ／Ｄ変換器４，３０から出力されるデジタルの撮影画像信号を取り込む画像入力コントローラ１０と、画像入力コントローラ１０によって取り込まれた撮影画像信号を画像処理して撮影画像データを生成する画像信号処理回路１１と、画像処理後の撮影画像データをＪＰＥＧ画像やＭＰＥＧ画像に圧縮する圧縮処理回路１２と、カメラ背面等に設けられた液晶表示装置（ＬＣＤ）１４に撮影画像やライブビュー画像を表示させたり、各種画像をファインダ装置２０内の表示部２６に表示させたりする表示制御部１３と、記録媒体１５に撮影画像データを記録するメディアコントローラ１６と、ワークメモリとして使用するＲＡＭや各種データを記憶するＲＯＭ等を含むメモリ１７と、表示部２６に表示させる画像を生成するＥＶＦ画像生成部１８と、これらを相互接続するシステムバスＳＢと、を備える。制御部９には各種指示を行うための操作部１９が接続される。
【００３６】
ＥＶＦ画像生成部１８は、主撮像素子２によって撮像して得られた主撮像画像データと、副撮像素子２７によって撮像して得られた副撮像画像データとを用いて、表示部２６に表示させる画像を生成する。以下では、撮像画像データとそれに基づく画像とを総称して単に撮像画像という。
【００３７】
図２は、図１に示すデジタルカメラ１００におけるＥＶＦ画像生成部１８による画像生成処理を説明するための図である。なお、本実施形態では、主撮像素子２によって撮像される撮像範囲（以下、主撮像範囲という）が、副撮像素子２７によって撮像される撮像範囲（以下、副撮像範囲という）よりも狭いことを前提としている。
【００３８】
ＥＶＦ画像生成部１８は、画像信号処理回路１１により生成されメモリ１７に記憶された、主撮像素子２によって撮像して得られた主撮像画像Ｇｓと、副撮像素子２７によって撮像して得られた副撮像画像Ｇｆとを、メモリ１７から取得する。
【００３９】
ＥＶＦ画像生成部１８は、副撮像画像Ｇｆと主撮像画像Ｇｓを比較し、副撮像画像Ｇｆにおいて主撮像画像Ｇｓと対応する領域Ｒ（主撮像画像Ｇｓと同一の被写体部分を含む領域）を検出する。そして、ＥＶＦ画像生成部１８は、検出した領域Ｒを示す枠３１を、ＯＶＦ光学像の対応する位置に重畳表示させるための画像を生成する。
【００４０】
副撮像画像Ｇｆは接眼窓２８から見える被写体範囲に対応し、この被写体範囲と、表示部２６の画面に表示される画像のサイズとは、接眼窓２８から見たときに一致するようになっている。このため、ＥＶＦ画像生成部１８は、副撮像画像Ｇｆにおける領域Ｒの位置及びサイズから、表示部２６に表示させる枠３１のサイズ及び位置を決定したＥＶＦ画像を生成する。
【００４１】
ＥＶＦ画像生成部１８によりＥＶＦ画像が生成されると、表示制御部１３がこれを表示部２６に表示させる。
【００４２】
以上の処理により、接眼窓２８からは、ファインダ光学系２３によって結像されるＯＶＦ光学像３２の領域Ｒと対応する位置に、主撮像素子２によって撮像される範囲を示す枠３１が重畳されたファインダ観察像（図２の下段に示す図参照）を見ることができる。
【００４３】
本実施形態では、ＥＶＦ画像生成部１８が、ＥＶＦ画像を上述した方法以外でも生成する。具体的には、ＥＶＦ画像生成部１８は、レンズ部１の情報（焦点距離、フォーカスレンズ位置等）を用いて、主撮像素子２による撮像範囲を算出し、ファインダ光学系２３の画角情報及びファインダ光学系２３とレンズ部１の光軸のずれの情報を含むパララックス情報から、ＯＶＦ光学像における当該撮像範囲の重畳位置を決める。そして、ＥＶＦ画像生成部１８は、当該撮像範囲を示す枠を当該重畳位置に表示するためのＥＶＦ画像を生成する。
【００４４】
以上のように構成されたデジタルカメラ１００の動作を説明する。
【００４５】
図３は、図１に示すデジタルカメラ１００の動作を説明するためのフローチャートである。以下では、デジタルカメラ１００が、レンズ部１を着脱可能なマウント機構を有するものとして説明する。
【００４６】
撮影モードに設定されると、制御部９は主撮像素子２により撮像を開始する。続いて、制御部９は、マウント機構に装着されているレンズ部１と通信が可能か否かを判定する（ステップＳ１）。
【００４７】
レンズ部１と通信可能であれば（ステップＳ１：ＹＥＳ）、制御部９はレンズ部１から情報を取得してメモリ１７に記憶する（ステップＳ２）。
【００４８】
その後、ＥＶＦ画像生成部１８が、メモリ１７に記憶されたレンズ部１の情報と、メモリ１７に予め記憶されているパララックス情報とを用いて、枠３１のサイズ及び表示位置を算出する（ステップＳ３）。
【００４９】
レンズ部１と通信可能でない場合（ステップＳ１：ＮＯ）、制御部９は副撮像素子２７を起動し、副撮像素子２７により撮像を開始させる（ステップＳ４）。
【００５０】
ステップＳ４の後、ＥＶＦ画像生成部１８は、主撮像素子２により撮像して得られる主撮像画像Ｇｓと、副撮像素子２７により撮像して得られる副撮像画像Ｇｆとをメモリ１７から取得し、これらを用いて、上述した方法により、枠３１のサイズ及び表示位置を算出する（ステップＳ５）。
【００５１】
ステップＳ３及びステップＳ５の後、ＥＶＦ画像生成部１８は、算出したサイズ及び表示位置の枠３１を表示するためのＥＶＦ画像を生成する（ステップＳ６）。その後は、ステップＳ７において、表示制御部１３がこのＥＶＦ画像を表示部２６に表示させる。
【００５２】
以上のように、デジタルカメラ１００によれば、接眼窓２８から見える被写体範囲における、主撮像素子２によって撮像される撮像範囲の位置及び大きさを示す枠３１を含むＥＶＦ画像を、主撮像画像Ｇｓと副撮像画像Ｇｆを用いて生成することができる。
【００５３】
レンズ部１、主撮像素子２、副撮像素子２７、及びファインダ光学系２３等のカメラ本体への組み付け時に発生する組み付け誤差や、これらの製造時に発生する性能の製造誤差等により、レンズ部１の情報とパララックス情報は、正確な値からずれる可能性がある。そのため、図３のステップＳ３の処理では、枠３１の位置及び大きさが正確なものにならない可能性がある。
【００５４】
これに対し、ステップＳ５の処理では、主撮像画像Ｇｓと副撮像画像Ｇｆを用いて枠３１の表示位置及び大きさを決めるため、組み付け誤差や製造誤差を含めた形で、枠３１の位置及び大きさを決めることができ、主撮像素子２による撮像範囲を正確にユーザに伝えることができる。
【００５５】
また、ステップＳ５の処理によれば、デジタルカメラ１００との通信ができないレンズ部１が装着された場合でも、枠３１の表示位置及び大きさを決めることができる。したがって、レンズ情報を取得できないレンズ部１が装着された場合でも、ユーザが手入力でレンズ情報を入力する等の手間を省くことができ、使い勝手を向上させることができる。
【００５６】
なお、ＥＶＦ画像生成部１８は、レンズ部１から情報を取得できる場合には、ステップＳ３の処理とステップＳ５の処理のうちのいずれかによって枠３１の表示位置及びサイズを算出してもよい。
【００５７】
どちらの処理を選択するかは、ユーザによって決められるようにしてもよいし、カメラ側で自動的に選択しても良い。例えば、電池残量が少ない場合や電池の減りを少なくするモードに設定されている場合には、電力を消費する副撮像素子２７を起動させる必要のないステップＳ３の処理を行ってＥＶＦ画像を生成すればよい。
【００５８】
また、ＥＶＦ画像生成部１８は、レンズ部１との通信が可能か否かに関わらず、常にステップＳ４，５の処理を行うようにしてもよい。
【００５９】
次に、デジタルカメラ１００の変形例について説明する。
【００６０】
（第一の変形例）
図４は、図１に示すデジタルカメラ１００の変形例であるデジタルカメラ１００ａの内部構成を示す図である。図４に示すデジタルカメラ１００ａは、被写体距離算出部４０を追加した点を除いては、図１のデジタルカメラ１００と同じ構成である。
【００６１】
被写体距離算出部４０は、主撮像素子２から主要被写体までの距離を、主撮像画像Ｇｓ、副撮像画像Ｇｆ、及び主撮像素子２と副撮像素子２７の距離の情報を用いて算出する。又は、被写体距離算出部４０は、主撮像素子２から主要被写体までの距離を、レンズ部１に含まれるフォーカスレンズ１ｃの位置情報を用いて算出する。
【００６２】
デジタルカメラ１００ａのＥＶＦ画像生成部１８は、枠３１に加えて、被写体距離算出部４０により算出された被写体距離を示す画像を含むＥＶＦ画像を生成する。
【００６３】
図５は、デジタルカメラ１００ａのＥＶＦ画像生成部１８によって生成したＥＶＦ画像がＯＶＦ光学像に重畳された状態での接眼窓２８から見えるファインダ観察像を示す図である。
【００６４】
図５に示すファインダ観察像は、ＯＶＦ光学像３２と、表示部２６に表示される枠３１及び被写体距離バー３３とから構成される。
【００６５】
被写体距離バー３３は、単位をｍ（メートル）とする距離が０．３〜∞まで表示され、主要被写体（ピントが合っている被写体）までの距離が、太線３４によって分かるように表示される。ＥＶＦ画像生成部１８は、このような被写体距離バー３３及び太線３４と枠３１を含むＥＶＦ画像を生成する。
【００６６】
図６は、デジタルカメラ１００ａの動作を説明するためのフローチャートである。ステップＳ１〜ステップＳ７の処理は図３において説明したものと同じため説明を省略する。
【００６７】
ステップＳ３の後、被写体距離算出部４０は、制御部９から、レンズ部１に含まれるフォーカスレンズ１ｃの位置情報を取得し、この位置情報と、レンズ部１固有の情報とから、主要被写体（フォーカスがあっている被写体）までの距離を算出する（ステップＳ１０）。
【００６８】
一方、ステップＳ５の後、被写体距離算出部４０は、主撮像画像Ｇｓから、コントラストが所定値よりも高い領域を主要被写体として抽出する（ステップＳ１１）。
【００６９】
次に、被写体距離算出部４０は、主撮像画像Ｇｓから抽出した主要被写体と同じ被写体を副撮像画像Ｇｆから抽出する。そして、被写体距離算出部４０は、主撮像画像Ｇｓの画像中心に対する主要被写体の位置と、副撮像画像Ｇｆの画像中心に対する主要被写体の位置とのズレ量から、主要被写体から見た主撮像素子２と副撮像素子２７のなす角度である輻輳角θを算出する。
【００７０】
図７は、被写体距離算出部４０による主要被写体までの距離算出方法を説明するための図である。図７では、被写体４１が主要被写体として抽出された例を示している。
【００７１】
レンズ部１側から被写体４１を見たときに、被写体４１の重心位置とレンズ部１の光軸とが一致する場合、主撮像画像Ｇｓの画像中心と被写体４１の重心位置とは一致するため、副撮像画像Ｇｆにおける主要被写体の位置によって、図７の角度θが求まる。また、主撮像素子２と副撮像素子２７の距離ｄは既知であり、メモリ１７に予め記憶されている。
【００７２】
被写体距離算出部４０は、例えば、主撮像画像Ｇｓにおける主要被写体４１の重心位置を主撮像画像Ｇｓの中心に合わせた場合の、副撮像画像Ｇｆにおける主要被写体４１の位置を算出し、この位置から輻輳角θを算出する（ステップＳ１２）。
【００７３】
次に、被写体距離算出部４０は、輻輳角θと間隔ｄとを用いて、ｔａｎθ／ｄの演算により、主撮像素子２から主要被写体４１までの距離Ｌを算出する（ステップＳ１３）。
【００７４】
ステップＳ１０及びステップＳ１３の後のステップＳ６において、ＥＶＦ画像生成部１８は、ステップＳ１０及びステップＳ１３において算出した主要被写体までの距離を示す画像と、主撮像素子２による撮像範囲を示す枠３１の画像とを含むＥＶＦ画像を生成する。
【００７５】
以上のように、デジタルカメラ１００ａによれば、枠３１だけでなく、ピントが合っている被写体までの距離も接眼窓２８から確認することができる。しかも、この距離情報は、レンズ部１の情報を利用しなくても生成することができるため、レンズ部１の製造誤差、組み付け誤差等の影響をなくした正確なものとすることができる。
【００７６】
また、レンズ部１の情報を取得できない場合でも、ステップＳ１０の処理により主要被写体までの距離を知ることができるため、使い勝手を向上させることができる。
【００７７】
なお、図６において、ステップＳ２，Ｓ３，Ｓ１０を省略し、レンズ部１との通信が可能か否かに関わらず、常にステップＳ４以降の処理を行ってもよい。また、ステップＳ１：ＹＥＳのときは、ステップＳ２〜Ｓ１０の処理と、ステップＳ４〜Ｓ１３の処理のいずれかを選択して行ってもよい。
【００７８】
（第二の変形例）
この変形例のデジタルカメラ１００ｂのブロック構成は、図４に示したものと同じであるが、被写体距離算出部４０による被写体距離算出方法と、副撮像素子２７の構成が異なる。
【００７９】
第二の変形例のデジタルカメラ１００ｂに搭載される副撮像素子２７は、位相差検出用の画素セルのペアを撮像領域の全面に離散的に設けたものである。位相差検出用の画素セルのペアは、例えば、遮光膜開口を互いに反対方向に偏心して設けた２つの画素セルのペアをいう。
【００８０】
第二の変形例のデジタルカメラ１００ｂの被写体距離算出部４０は、副撮像素子２７によって撮像して得られる撮像画像信号のうち、位相差検出用の画素セルの出力信号を用いて、副撮像素子２７から主要被写体までの距離を算出し、この距離と、上述した輻輳角θとを用いた演算により、主撮像素子２から主要被写体までの距離を算出する。
【００８１】
図８は、デジタルカメラ１００ｂの動作を説明するためのフローチャートである。図８に示すフローチャートは、図６においてステップＳ１３の代わりにステップＳ２０，Ｓ２１を設けたものとなっている。
【００８２】
ステップＳ１２の後、被写体距離算出部４０は、副撮像画像Ｇｆの生成元となった撮像画像信号のうち、主要被写体が結像されている副撮像素子２７の撮像領域にある位相差検出用の画素セルから出力された出力信号を取得する。そして、被写体距離算出部４０は、この出力信号を用いて、副撮像素子２７から主要被写体４１までの距離Ｄ（図９参照）を算出する（ステップＳ２０）。
【００８３】
次に、被写体距離算出部４０は、Ｄ×ｃｏｓθの演算により、主撮像素子２から主要被写体までの距離Ｌを算出する（ステップＳ２１）。その後は、ステップＳ６以降の処理が行われる。
【００８４】
以上のように、デジタルカメラ１００ｂでも、デジタルカメラ１００ａと同様に、レンズ部１の情報を用いることなく、主要被写体までの距離を算出することができる。
【００８５】
（第三の変形例）
図１０は、図１に示すデジタルカメラ１００の第三の変形例であるデジタルカメラ１００ｃの内部ブロック構成を示す図である。図１０に示すデジタルカメラ１００ｃは、ファインダ装置２０のファインダ光学系２３を焦点距離が可変なものとし、この焦点距離を変更するためのモータドライバ５０を追加した点を除いては、図１に示すデジタルカメラ１００と同じ構成である。
【００８６】
デジタルカメラ１００ｃのファインダ装置２０に含まれるファインダ光学系２３は、焦点距離を変えるための例えばズームレンズを含んでおり、ファインダ装置２０には、このズームレンズの位置制御を行う駆動モータ（不図示）が内蔵される。
【００８７】
モータドライバ５０は、上記駆動モータに駆動信号を供給するものであり、制御部９によって制御される。
【００８８】
図１１は、デジタルカメラ１００ｃの動作を説明するためのフローチャートである。図１１に示す各処理は、図３のステップＳ４とステップＳ５の間に行われるものである。
【００８９】
なお、デジタルカメラ１００ｃのファインダ光学系２３は、焦点距離がａｍｍ〜ｂｍｍ（ａ＜ｂ）までの範囲で可変とし、撮影モードに設定された初期状態では、焦点距離がａとｂの間の初期値となっているものとする。
【００９０】
副撮像素子２７による撮像が開始されると、制御部９は、主撮像画像Ｇｓと副撮像画像Ｇｆとの比較により、主撮像素子２によって撮像される撮像範囲Ｓと、副撮像素子２７によって撮像される撮像範囲Ｆのサイズ比α（α＝Ｓ／Ｆ）を算出する（ステップＳ４０）。
【００９１】
例えば、図２に示したように、副撮像画像Ｇｆに対応する撮像範囲Ｆよりも、主撮像画像Ｇｓに対応する撮像範囲Ｓが狭い場合、制御部９は、副撮像画像Ｇｆにおける主撮像画像Ｇｓとの重複領域の大きさを撮像範囲Ｓのサイズとし、副撮像画像Ｇｆ全体の大きさを撮像範囲Ｆのサイズとして、サイズ比αを算出する。
【００９２】
また、逆に、撮像範囲Ｆよりも撮像範囲Ｓが広い場合、制御部９は、主撮像画像Ｇｓにおける副撮像画像Ｇｆとの重複領域の大きさを撮像範囲Ｆのサイズとし、主撮像画像Ｇｓ全体の大きさを撮像範囲Ｓのサイズとして、サイズ比αを算出する。
【００９３】
また、制御部９は、主撮像画像Ｇｓの全体と副撮像画像Ｇｆの全体とが完全に重複する場合は、サイズ比αを１として算出する。
【００９４】
ステップＳ４０においてサイズ比αを算出後、制御部９は、サイズ比αを、予め決められた所定値Ａ（ここでは例えば“１”）と比較する（ステップＳ４１）。
【００９５】
α≧１のとき（ステップＳ４１：ＹＥＳ）、即ち、撮像範囲Ｓが撮像範囲Ｆと同じ又は撮像範囲Ｆよりも大きいとき、制御部９は、モータドライバ５０を制御し、ファインダ光学系２３の焦点距離を短くして、ファインダ光学系２３の画角を広角側に変更する。例えば、制御部９は、ファインダ光学系２３の焦点距離を初期値から上記ａに変更する。
【００９６】
図１２は、図１１におけるステップＳ４２の処理を行ったときの副撮像画像Ｇｆの変化を示す図である。
【００９７】
図１２の例では、主撮像画像Ｇｓの一部領域が副撮像画像Ｇｆと重複しており、撮像範囲Ｓが撮像範囲Ｆよりも広くなっている。このような場合、制御部９がファインダ光学系２３の焦点距離を初期値から上記ａに変更すると、副撮像画像Ｇｆは図１２の下段に示したものとなる。
【００９８】
この結果、接眼窓２８からは、主撮像素子２によって撮像される撮像範囲Ｓよりも広い範囲を観察可能になる。したがって、その後に行われるステップＳ５の処理により、主撮像素子２の撮像範囲よりも広い範囲を確認しながら、主撮像素子２の撮像範囲を枠３１によって確認することができるようになる。
【００９９】
図１１の説明に戻り、α＜１のとき（ステップＳ４１：ＮＯ）、即ち、撮像範囲Ｓが撮像範囲Ｆよりも狭いとき、制御部９は、副撮像画像Ｇｆにおける主撮像画像Ｇｓとの重複領域を抽出し、その重複領域内に、レンズ部１によって被写体がケラレているケラレ領域があるか否かを判定する（ステップＳ４３）。
【０１００】
主撮像素子２の撮像範囲Ｓよりも副撮像素子２７の撮像範囲Ｆの方が広い場合、副撮像画像Ｇｆには、図１３に例示したように、レンズ部１によって影になるケラレ領域５１が生じることがある。図１３の副撮像画像Ｇｆに示した枠１３０内の領域は、副撮像画像Ｇｆにおいて主撮像画像Ｇｓと重複する領域である。
【０１０１】
ステップＳ４３の判定がＹＥＳのとき、制御部９は、副撮像画像Ｇｆの枠１３０内の画像と、枠１３０内の画像と同サイズに変換した主撮像画像Ｇｓとの差分画像を生成し、この差分画像の枠１３０内の画像に占める割合（ケラレ率）を算出する（ステップＳ４４）。
【０１０２】
制御部９は、算出したケラレ率と予め決められた値Ｃとを比較する（ステップＳ４５）。制御部９は、ケラレ率が値Ｃを超える場合（ステップＳ４５：ＹＥＳ）に、モータドライバ５０を制御し、ファインダ光学系２３の焦点距離を長くして、ファインダ光学系２３の画角を望遠側に変更する（ステップＳ４６）。例えば、制御部９は、ファインダ光学系２３の焦点距離を初期値から上記ｂに変更する。
【０１０３】
図１３の下段には、図１１におけるステップＳ４６の処理を行ったときの副撮像画像Ｇｆを示している。
【０１０４】
ステップＳ４６の処理により、副撮像画像Ｇｆにおけるケラレ領域５１は小さくなるため、ファインダ観察像における主撮像素子２の撮像範囲内の被写体を見やすくすることができる。
【０１０５】
ステップＳ４３においてケラレ領域がないと判定された場合（ステップＳ４３：ＮＯ）と、ステップＳ４５においてケラレ率が値Ｃ以下であった場合（ステップＳ４５：ＮＯ）には、制御部９は、ファインダ光学系２３の焦点距離を変更する制御は行わず、ＥＶＦ画像生成部１８によりステップＳ５の処理を行わせる。
【０１０６】
以上のように、デジタルカメラ１００ｃによれば、主撮像素子２の撮像範囲よりも副撮像素子２７の撮像範囲が狭く、表示部２６において主撮像素子２の撮像範囲を示す枠を表示することができない場合でも、ファインダ光学系２３の焦点距離を短くすることで、表示部２６において主撮像素子２の撮像範囲を示す枠を表示させることが可能になる。
【０１０７】
また、デジタルカメラ１００ｃによれば、主撮像素子２の撮像範囲よりも副撮像素子２７の撮像範囲が広く、かつ、副撮像素子２７の撮像範囲がレンズ部１によってケラレている領域が大きい場合でも、ファインダ光学系２３の焦点距離を長くすることで、接眼窓２８から見えるケラレ領域を減らし、主撮像素子２の撮像範囲内の被写体を見やすくすることができる。
【０１０８】
なお、図１１のステップＳ４２において、ファインダ画角が広角側に変更された結果、それでも撮像範囲Ｓ＞撮像範囲Ｆの関係になる場合も考えられる。そこで、このような場合のデジタルカメラ１００ｃの動作について説明する。
【０１０９】
図１４は、デジタルカメラ１００ｃの動作の変形例を説明するためのフローチャートである。図１４に示すフローチャートは、図１１におけるステップＳ４２の後にステップＳ５２〜Ｓ５４を追加したものである。
【０１１０】
ステップＳ４２の後、制御部９は、ステップＳ４０と同じ処理を行ってサイズ比αを再度算出する（ステップＳ５１）。
【０１１１】
そして、制御部９は、再度算出したサイズ比αが所定値Ａ以上であれば（ステップＳ５２：ＹＥＳ）、ＥＶＦ画像生成部１８にステップＳ５３の処理を行わせ、再度算出したサイズ比αが所定値Ａ未満であれば（ステップＳ５２：ＮＯ）、ＥＶＦ画像生成部１８にステップＳ５の処理を行わせる。
【０１１２】
ここでは、ステップＳ４２の処理の後の副撮像画像Ｇｆと主撮像画像Ｇｓが、図１５に示すものとなっている場合を例にする。
【０１１３】
この場合、ステップＳ５３では、ＥＶＦ画像生成部１８が、撮像範囲Ｓに対応する主撮像画像Ｇｓから、副撮像画像Ｇｆと重複している領域Ｒ１よりも内側の領域Ｒ２を抽出する。そして、ＥＶＦ画像生成部１８は、副撮像画像Ｇｆにおいて、主撮像画像Ｇｓから抽出した領域Ｒ２内の画像と重複する範囲Ｒ３の位置を算出する。
【０１１４】
次に、ＥＶＦ画像生成部１８は、範囲Ｒ３の位置と対応するＯＶＦ光学像上の位置に枠４２を重畳するためのＥＶＦ画像を生成する（ステップＳ５４）。
【０１１５】
また、ＥＶＦ画像生成部１８は、主撮像画像Ｇｓのサイズに対する領域Ｒ２のサイズ比β（図１５ではβ＝０．４としている）を算出しておき、ＥＶＦ画像として、枠４２の中心点４３と、上記サイズ比βに対応する情報（図１５の例では“４０％”の文字情報）とを含めたものを生成する。その後、生成されたＥＶＦ画像がステップＳ７において、表示部２６に表示される。
【０１１６】
これにより、接眼窓２８から観察されるファインダ観察像は、図１５の下段に示したように、ＯＶＦ光学像３１に、範囲Ｒ３に対応する枠４２と、枠４２の中心点４３と、サイズ比βに対応する“４０％”の文字とが重畳されたものとなる。
【０１１７】
このように、ファインダ光学系２３の焦点距離が最短の状態で、主撮像素子２による撮像範囲の方が副撮像素子２７による撮像範囲よりも広い場合には、主撮像素子２による撮像範囲を縮小した一部の範囲を、ＯＶＦ光学像に重畳させることができる。このため、実際に撮像される範囲のうちのどの部分をファインダによって確認しているのかを、表示部２６に表示される画像によって容易に知ることができ、カメラの使い勝手を向上させることができる。
【０１１８】
図１１のステップＳ４６において、ファインダ画角が望遠側に変更された結果、それでもケラレ率が所定値Ｃよりも小さくならない場合も考えられる。そこで、このような場合のデジタルカメラ１００ｃの動作について説明する。
【０１１９】
図１６は、デジタルカメラ１００ｃの動作の変形例を説明するためのフローチャートである。図１６に示すフローチャートは、図１１におけるステップＳ４６の後にステップＳ６１〜Ｓ６３を追加したものである。
【０１２０】
ステップＳ４６の後、制御部９は、ステップＳ４４と同じ処理を行ってケラレ率を算出する（ステップＳ６１）。
【０１２１】
そして、制御部９は、算出したケラレ率が所定値Ｃ以下であれば（ステップＳ６２：ＮＯ）、ＥＶＦ画像生成部１８にステップＳ５の処理を行わせ、算出したケラレ率が所定値Ｃを越えていれば（ステップＳ６２：ＹＥＳ）、ステップＳ６３の処理を行う。
【０１２２】
図１７の上段には、ステップＳ６２：ＹＥＳのときの副撮像画像Ｇｆと主撮像画像Ｇｓを示している。図１７に示すように、ケラレ率が大きいと、副撮像画像Ｇｆにおいてケラレ領域５１が多くなり、主撮像素子２による撮像範囲内の被写体の一部がケラレ領域５１によって隠れてしまい、構図を決めにくくなる。
【０１２３】
そこで、ステップＳ６３において制御部９は、ＯＶＦシャッタ２２を閉状態に制御し、この閉状態において表示部２６に、主撮像画像Ｇｓを表示させる。この処理により、接眼窓２８から見えるファインダ観察像は、図１７の下段に示したようになり、主撮像素子２によって撮像される被写体の全てを接眼窓２８から確認できるようになる。
【０１２４】
このように、ファインダ光学系２３の焦点距離が最長の状態であり、ケラレ率をこれ以上小さくすることができない状況では、接眼窓２８から主撮像画像Ｇｓのみを観察可能にすることで、実際に撮像される範囲の被写体を明確に確認することが可能となる。
【０１２５】
なお、図１４のステップＳ４２以降のフローと図１５のステップＳ４６以降のフローは組み合わせて実施してもよい。
【０１２６】
本明細書では撮像装置としてデジタルカメラを例にしたが、ファインダ装置を搭載する撮像装置であれば本発明を適用可能である。例えば、カメラ付のスマートフォンにファインダ装置を設ける場合でも本実施形態の技術を適用することができる。
【０１２７】
なお、図３，６，８，１１，１４，１６で説明した処理を全てファインダ装置２０内に設けた制御部によって行うようにしてもよい。
【０１２８】
以上説明してきたように、本明細書には以下の事項が開示されている。
【０１２９】
開示された撮像装置は、撮影光学系を介して被写体を撮像する第一の撮像素子と、上記撮影光学系とは異なる光学系を介して被写体を観察可能で、かつ、画像を表示する表示部を含むファインダ装置と、上記異なる光学系を介して被写体を撮像する第二の撮像素子と、上記第一の撮像素子によって撮像された第一の撮像画像と、上記第二の撮像素子によって撮像された第二の撮像画像とを用いて、上記ファインダ装置によって観察される被写体における、上記第一の撮像素子によって撮像されている撮像範囲を示す撮像範囲画像を生成する撮像範囲画像生成部と、上記撮像範囲画像を上記表示部に表示させる表示制御部と、を備え、上記ファインダ装置は、被写体側ファインダ窓から入射し上記異なる光学系を介して接眼窓に入射する光像と上記表示部に表示される画像とが重畳された像を上記接眼窓から観察可能に構成されるものである。
【０１３０】
開示された撮像装置は、上記異なる光学系は焦点距離可変であり、上記第一の撮像画像と上記第二の撮像画像の比較結果に基づいて上記異なる光学系の焦点距離を可変して、上記第二の撮像素子による撮像範囲を制御する撮像範囲制御部を備えるものである。
【０１３１】
開示された撮像装置は、上記第一の撮像画像と上記第二の撮像画像との比較により、上記第一の撮像素子による撮像範囲と上記第二の撮像素子による撮像範囲の相対サイズを判定する撮像範囲サイズ判定部を備え、上記撮像範囲制御部は、上記撮像範囲サイズ判定部により、上記第一の撮像素子による撮像範囲を上記第二の撮像素子による撮像範囲で除した値が予め決めた値以上と判定された場合に、上記異なる光学系の焦点距離を短くするものである。
【０１３２】
開示された撮像装置は、上記異なる光学系の焦点距離が最小にされた状態で、上記撮像範囲サイズ判定部により、上記第一の撮像素子による撮像範囲を上記第二の撮像素子による撮像範囲で除した値が予め決めた値以上と判定された場合に、上記第一の撮像画像と上記第二の撮像画像を用いて、上記第一の撮像素子によって撮像されている撮像範囲のうち、上記第二の撮像素子によって撮像されている撮像範囲よりも狭い縮小範囲を示す縮小範囲画像を生成する縮小範囲画像生成部を備え、上記表示制御部は、上記縮小範囲画像を上記表示部に表示させるものである。
【０１３３】
開示された撮像装置は、上記第一の撮像画像と上記第二の撮像画像との比較により、上記第二の撮像画像において上記第一の撮像画像と対応する領域に、上記撮影光学系によってケラレているケラレ領域があるか否かを判定するケラレ領域判定部を備え、予め決められた値より大きい上記ケラレ領域があると判定された場合に、上記撮像範囲制御部は、上記異なる光学系の焦点距離を長くするものである。
【０１３４】
開示された撮像装置は、上記接眼窓に被写体からの光が入射するのを防止し、上記表示部に表示される画像のみを上記接眼窓から観察可能にするために設けられた光を遮断するシャッタと、上記異なる光学系の焦点距離が最大にされた状態で、上記ケラレ領域判定部により、予め決められた値より大きい上記ケラレ領域があると判定された場合に、上記シャッタを制御して被写体からの光が上記接眼窓に入射するのを防止するシャッタ制御部と、を備え、上記表示制御部は、上記表示部に表示される画像のみを上記接眼窓から観察可能になった状態では、上記第一の撮像画像を上記表示部に表示させるものである。
【０１３５】
開示された撮像装置は、少なくとも上記第一の撮像画像及び上記第二の撮像画像を用いて、上記第一の撮像素子から主要被写体までの距離を算出する主要被写体距離算出部を備え、上記表示制御部は、上記主要被写体距離算出部により算出された距離を示す画像を上記表示部に表示させるものである。
【０１３６】
開示された撮像装置は、上記主要被写体距離算出部が、上記第一の撮像画像と上記第二の撮像画像との比較により、上記主要被写体から見た上記第一の撮像素子と上記第二の撮像素子のなす角度を算出し、その角度と、撮像装置内における上記第一の撮像素子と上記第二の撮像素子の位置関係を示す情報とを用いて、上記第一の撮像素子から上記主要被写体までの距離を算出するものである。
【０１３７】
開示された撮像装置は、上記第二の撮像素子は、位相差検出用の画素セルを含み、上記主要被写体距離算出部は、上記主要被写体に対応する上記位相差検出用の画素セルの出力信号を用いて上記第二の撮像素子から上記主要被写体までの距離を算出し、上記第一の撮像画像と上記第二の撮像画像との比較により、上記主要被写体から見た上記第一の撮像素子と上記第二の撮像素子のなす角度を算出し、その距離とその角度を用いて、上記第一の撮像素子から上記主要被写体までの距離を算出するものである。
【０１３８】
開示された撮像装置は、上記撮影光学系を着脱可能なマウント機構を備えるものである。
【０１３９】
開示されたファインダ装置は、上記撮影光学系とは異なる光学系と、画像を表示する表示部と、上記異なる光学系を介して被写体を撮像する第二の撮像素子と、上記第一の撮像素子によって撮像された第一の撮像画像と、上記第二の撮像素子によって撮像された第二の撮像画像とを用いて、上記異なる光学系を介して観察される被写体における、上記第一の撮像素子によって撮像されている撮像範囲を示す撮像範囲画像を生成する撮像範囲画像生成部と、上記撮像範囲画像を上記表示部に表示させる表示制御部と、を備え、被写体側ファインダ窓から入射し上記異なる光学系を介して接眼窓に入射する光像と上記表示部に表示される画像とが重畳された像を上記接眼窓から観察可能に構成されるものである。
【０１４０】
開示された撮像装置の制御方法は、撮影光学系を介して被写体を撮像する第一の撮像素子によって撮像された第一の撮像画像と、上記撮影光学系とは異なる光学系を介して被写体を観察可能なファインダ装置の上記異なる光学系を介して被写体を撮像する第二の撮像素子によって撮像された第二の撮像画像とを用いて、上記異なる光学系を介して観察される被写体における、上記第一の撮像素子によって撮像されている撮像範囲を示す撮像範囲画像を生成し、画像を表示する表示部であって、上記異なる光学系を介して接眼窓に入射する光像と上記画像とが重畳された像を上記接眼窓から観察可能に上記ファインダ装置内に配置される表示部に、上記撮像範囲画像を表示させるものである。
【符号の説明】
【０１４１】
１００  デジタルカメラ
１    レンズ部
２    主撮像素子
１８  ＥＶＦ画像生成部
２０  ファインダ装置
２１  被写体側ファインダ窓
２２  ＯＶＦシャッタ
２３  ファインダ光学系
２４  プリズム
２５  ハーフミラー
２６  表示部
２７  副撮像素子
２８  接眼窓
Ｒ  副撮像画像Ｇｆにおける主撮像画像Ｇｓとの重複領域
３１  主撮像素子による撮像範囲を示す枠
３２  ファインダ光学系２３によって結像される光学像
【図１】
2014041305.tif 000003
【図２】
2014041305.tif 000004
【図３】
2014041305.tif 000005
【図４】
2014041305.tif 000006
【図５】
2014041305.tif 000007
【図６】
2014041305.tif 000008
【図７】
2014041305.tif 000009
【図８】
2014041305.tif 000010
【図９】
2014041305.tif 000011
【図１０】
2014041305.tif 000012
【図１１】
2014041305.tif 000013
【図１２】
2014041305.tif 000014
【図１３】
2014041305.tif 000015
【図１４】
2014041305.tif 000016
【図１５】
2014041305.tif 000017
【図１６】
2014041305.tif 000018
【図１７】
2014041305.tif 000019